(57)【要約】【課題】温度ヒューズの連結構造の提供。【解決手段】主に熱溶融金属を回路中の２個の分離した端子にリベット接合することにより、該２個端子は電気的に連接し回路を連通する。外力を受けていない状態では、該２個端子の２個自由端の間は一定の間隔距離を保持する。電流がオーバーロード、回路が過熱、或いは使用の環境温度が高過ぎる時には、該熱溶融金属は熱を受け温度が上昇し溶融し断裂する。これにより該２個端子自由端は相互に非接触となり、回路はオフ(OFF)状態となる。【選択図】図４
2008123789.tif 000002
【特許請求の範囲】
【請求項１】
２個端子、熱溶融金属を含み、
該２個端子は回路の配線中に固定し、該２個端子の２個自由端にはそれぞれ貫通可能な開孔を設置し、しかも外力を受けていない状態では、該２個端子の２個自由端間は一定の一定の間隔距離を保持し、
該熱溶融金属は細長く、熱を受け温度が上昇すると溶融し断裂する特性を備え、
組合せ実施時には、該熱溶融金属は該２個端子の自由端の開孔を通り、リベット接合の方式で該熱溶融金属を圧迫し、これにより該熱溶融金属は該２個の分離端子の自由端に固定され電気的に連接し、該２個端子の自由端間は非接触となり、該２個端子の自由端間には一定の間隔距離を有することを特徴とする温度ヒューズの連結構造。
【請求項２】
請求項１記載の温度ヒューズの連結構造において、前記２個端子の開孔は封鎖性の開孔であることを特徴とする温度ヒューズの連結構造。
【請求項３】
請求項１記載の温度ヒューズの連結構造において、前記２個端子の開孔は開放性の開孔であることを特徴とする温度ヒューズの連結構造。
【請求項４】
請求項１記載の温度ヒューズの連結構造において、前記２個端子の少なくとも１個は弾性を備えた導電材料により製造し、これにより弾性を備えた端子とすることを特徴とする温度ヒューズの連結構造。
【請求項５】
請求項１記載の温度ヒューズの連結構造において、前記熱溶融金属は必要に応じて組成成分を改変し、異なる熱溶融断裂温度に設定可能であることを特徴とする温度ヒューズの連結構造。
【請求項６】
請求項１記載の温度ヒューズの連結構造において、前記熱溶融金属の中央には少なくとも１個の環状凹頸部を設置することを特徴とする温度ヒューズの連結構造。
【請求項７】
請求項１記載の温度ヒューズの連結構造において、前記熱溶融金属の一端は拡大ナット状であることを特徴とする温度ヒューズの連結構造。
【請求項８】
２個端子、熱溶融金属を含み、
該２個端子は回路の配線中に固定し、該２個端子の２個自由端にはそれぞれ貫通可能な開孔を設置し、しかも外力を受けていない状態では、該２個端子の２個自由端の間は一定の間隔距離を保持し、
該熱溶融金属は細長く、熱を受け温度が上昇すると溶融し断裂する特性を備え、
組合せ実施時には、該熱溶融金属は該２個端子の自由端の開孔を通り、リベット接合の方式で該熱溶融金属を圧迫し、これにより該熱溶融金属は該２個の分離端子の自由端を電気的に連接し、該２個端子の自由端は内側に向かい、相互に接触し、該２個端子の自由端は外側へと離れる弾力を備えることを特徴とする温度ヒューズの連結構造。
【請求項９】
請求項８記載の温度ヒューズの連結構造において、前記２個端子の開孔は封鎖性の開孔であることを特徴とする温度ヒューズの連結構造。
【請求項１０】
請求項８記載の温度ヒューズの連結構造において、前記２個端子の開孔は開放性の開孔であることを特徴とする温度ヒューズの連結構造。
【請求項１１】
請求項８記載の温度ヒューズの連結構造において、前記２個端子の少なくとも１個は弾性を備えた導電材料により製造し、これにより弾性を備えた端子とすることを特徴とする温度ヒューズの連結構造。
【請求項１２】
請求項８記載の温度ヒューズの連結構造において、前記２個端子の少なくとも１個には弾性部品を設置し、該弾性部品の弾力を利用し、該２個端子の自由端は相互に分離する弾力を保持することを特徴とする温度ヒューズの連結構造。
【請求項１３】
請求項８記載の温度ヒューズの連結構造において、前記熱溶融金属は必要に応じて組成成分を改変し、異なる熱溶融断裂温度に設定可能であることを特徴とする温度ヒューズの連結構造。
【請求項１４】
請求項８記載の温度ヒューズの連結構造において、前記熱溶融金属の一端は拡大ナット状であることを特徴とする温度ヒューズの連結構造。
【請求項１５】
２個端子、熱溶融金属、弾性連接部品を含み、
該２個端子は回路の配線中に固定し、該２個端子の少なくとも１個の端子の自由端には貫通可能な開孔を設置し、しかも外力を受けていない状態では、該２個端子の２個自由端の間は一定の間隔距離を保持し、
該熱溶融金属は細長く、熱を受け温度が上昇すると溶融し断裂する特性を備え、
該弾性連接部品は該２個端子を連接し、これにより該２個端子は通電し、該弾性連接部品は２個の連接棒部品を含み、少なくとも１個の連接棒部品の端部は貫通可能な開孔を形成し、
組合せ実施時には、該適当な長さの熱溶融金属は該一つ目の弾性連接部品の連接棒部品端部の開孔、該一つ目の端子の自由端の開孔を通り、リベット接合の方式で該熱溶融金属を圧迫し、これにより該熱溶融金属の両端は拡大し、該弾性連接部品の一つ目の連接棒部品と該一つ目の端子の自由端は相互に接合し、別に該弾性連接部品の二つ目の連接棒部品は該一つ目の弾性連接部品に向かい圧迫、接触、固定し、該２個端子は電気的に連接し、該弾性連接部品の２個の連接棒部品端部は相互に接触し外側に向かう弾力を生じることを特徴とする温度ヒューズの連結構造。
【請求項１６】
請求項１５記載の温度ヒューズの連結構造において、前記端子の二つ目の自由端には湾曲可能な固定部品を設置し、
該弾性連接部品の二つ目の連接棒部品は棒状で、
該弾性連接部品の二つ目の連接棒部品は該一つ目の連接棒部品に向かい圧迫、接触し、該二つ目の端子の固定部品は該二つ目の連接棒部品端部により覆われ固定されることを特徴とする温度ヒューズの連結構造。
【請求項１７】
請求項１５記載の温度ヒューズの連結構造において、前記２個端子の一つ目の開孔は封鎖性開孔であることを特徴とする温度ヒューズの連結構造。
【請求項１８】
請求項１５記載の温度ヒューズの連結構造において、前記２個端子の一つ目の開孔は開放性の開孔であることを特徴とする温度ヒューズの連結構造。
【請求項１９】
請求項１５記載の温度ヒューズの連結構造において、前記熱溶融金属は必要に応じて組成成分を改変し、異なる熱溶融断裂温度に設定可能であることを特徴とする温度ヒューズの連結構造。
【請求項２０】
請求項１５記載の温度ヒューズの連結構造において、前記弾性連接部品は導電材料により製造することを特徴とする温度ヒューズの連結構造。
【発明の詳細な説明】
【技術分野】
【０００１】
本発明は一種の温度ヒューズの連結構造に関する。特に一種の熱溶融金属を回路中の２個の分離した端子にリベット連接し、これにより該２個端子は電気的に連接し回路はオンとなり、電流のオーバーロード、回路の過熱時には、該熱溶融金属は熱を受け温度が上昇、溶融断裂して、回路はオフ(OFF)状態となる温度ヒューズの連結構造に係る。
【背景技術】
【０００２】
現代人にとって電力はなくてはならないものである。電力を使用する設備は生活のあちらこちらに見られ、コンピュータ化或いはIT化産業、家庭、交通、教育、娯楽などは電気がなくては成り立たないほどである。このため、安全な電気の使用もまた現代人にとっては慎重であるべき項目である。
一般に、電力供給単位の全体的回路中には電源を制御するメインスイッチが設置されており、通常メインスイッチはオン状態である。その上にヒューズ或いはブレーカーを設置し、回路全体で使用する電気製品の過多により、電流のオーバーロード或いは回路のショート、回路の過熱などの状況が生じると、ヒューズは溶融断裂して、或いはブレーカーが切れ、回路全体のオフ(OFF)状態を形成し、電気使用の安全性を確保している。
【０００３】
別に、回路全体にはそれぞれの回路があり、回路中にはさらに制御のためのスイッチが設置されている。該スイッチは主にそれぞれの回路のオンとオフ(OFF)の切り替えを執行し、電気使用の安全性を強化している。多くのスイッチは電流のオーバーロード時には自動的に切れオフ(OFF)となる機能を備え、電流のオーバーロード時に回路全体のヒューズ或いはブレーカーが、即時に反応できずオフ(OFF)或いは切れることがないために発生し得る電線の発火などの危険な状況を防止する。
前記回路全体及び各回路がヒューズ、ブレーカー、スイッチの電流のオーバーロードによる過熱時に自動的に切断、オフ(OFF)となる構造を利用する以外に、高価格の電子製品、データ処理のIT設備、或いは電力使用量が比較的高い電熱器など一部の単一の電子、電気製品は、それぞれ温度感知ブレーカーである回路保護構造を設置する。これにより単一の電子、電気製品を保護し、該単一の電子、電気製品の本体に電流のオーバーロード、回路の過熱の状況が発生すると、即時に感知し電気を遮断し、製品の損壊を防止し、同時に単一の電子、電気製品の問題がそれぞれの回路、回路全体の電流をオーバーロード、過熱させる状況を防止し、回路、全体回路中の他の電気を使用する設備の作動を確保する。
【０００４】
単一電子製品に使用する公知の温度感知ブレーカーは、図１、２に示すように、その回路中には接触弾力片２０１を設置する。該接触弾力片２０１は湾曲状で、熱を受けると変形し、反対向きに湾曲し弾ける。該接触弾力片２０１の一端は第一端子２０２に固定し、該接触弾力片２０１の反対端は自由端で、該自由端には第一導電点２０３を設置する。別に第二端子２０４には第二導電点２０５を設置し、該第二導電点２０５は該第一導電点２０３に対応する。
実施時には、該接触弾力片２０１は該第二端子２０４の方向に湾曲し、これにより該接触弾力片２０１の自由端の第一導電点２０３と該第二端子２０４の第二導電点２０５は接触し回路の連通状態を保持する(図１参照)。
オーバーロード時には、該接触弾力片２０１は熱を受け変形し反対方向に弾け、これにより該接触弾力片２０１の自由端の第一導電点２０３と該第二導電点２０５は離れ、回路はオフ(OFF)状態となる。こうして図２に示すように、電子製品の回路の損壊を防止する。
【０００５】
しかし、公知の温度感知ブレーカーには以下のような欠点が存在する。
ａ．接触弾力片２０１の製造時に、各接触弾力片２０１の厚み、湾曲度、構造特性の完全な同一性を確保することができないため、接触弾力片２０１の熱を受け変形し反対方向に湾曲し弾ける反応の温度値を効果的に制御することができない。よって設定感知温度値の誤差が比較的大きい。
ｂ．接触弾力片２０１が熱を受け変形し反対方向に湾曲し弾ける敏感度が高くないため、電子製品のオーバーロード時にタイムリーな保護を発揮することができない。
ｃ．接触弾力片２０１は即時の電流切断或いは遮断が不完全であるため、回路はなお通電状態で回路の過熱状況は持続し、該単一電子製品及び全体回路の危険を招いてしまう。
ｄ．オーバーロード及び回路の過熱時に、もし接触弾力片２０１が不完全に弾けた状態となると、接触弾力片２０１が冷却すれば形状を回復し通電状態に戻り、通電と切断を繰り返し、火花が散り危険である。しかも全体回路中の電子、電気設備は反復切断、通電により電流の不安定を招き、シャットダウンし或いは正常な作動ができなくなり、使用寿命を短縮し、ひどい時には完全に損壊してしまう。
【発明の開示】
【発明が解決しようとする課題】
【０００６】
本発明は単一電子製品に用いられる公知の温度感知ブレーカーの接触弾力片の温度感知により弾け電力を切断する装置が、電気切断の感知温度値を正確、効果的に設定できず、電流のオーバーロード過熱時に、接触弾力片が即時に弾けず、または離脱が不完全、或いは離脱しない時に、回路の通電が持続し、回路が火花を吹き、或いは通電と断電を繰り返すことで、電流が不安定になり、電子製品のシャットダウン或いは正常作動の不能、使用寿命の短縮を招き、さらには完全に損壊させてしまうなどの問題点を解決した温度ヒューズの連結構造を提供するものである。
【０００７】
本発明は主に熱溶融金属を回路中の２個の分離した端子にリベット接合することにより、該２個端子は電気的に連接し回路を連通し、外力を受けていない状態では、該２個端子の２個自由端の間は一定の間隔距離を保持し、電流がオーバーロード、回路が過熱、或いは使用の環境温度が高過ぎる時には、該熱溶融金属は熱を受け温度が上昇、溶融断裂、これにより該２個端子自由端は相互に非接触となり、回路はオフ(OFF)状態となる。
【０００８】
すなわちそれは、熱溶融金属を回路中の２個の分離した端子にリベット接合することにより、該２個端子は電気的に連接し回路を連通し、電流がオーバーロード、回路が過熱、或いは使用の環境温度が高過ぎる時には、該熱溶融金属は熱を受け温度が上昇、溶融断裂、これにより回路はオフ(OFF)状態となり、電気使用の安全性を確保するという目的を達成することができ、
またそれは、電流がオーバーロードし回路が過熱した時には、熱溶融金属が熱を受け温度上昇を続けると必ず溶融し断裂するという特性を利用し、回路を完全にオフ(OFF)にし、反復通電により回路の接点が火花を発し、或いは回路が発火する危険な状況の発生を防止可能で、電気使用の安全性を完全に確保することができ、回路中の各種電気製品の機能特性を保護することができ、
さらにそれは、熱溶融金属をリベット接合の方式により回路中の２個の分離した端子に簡単に連接することができるため、その全体的構造は簡単で、製造は容易で、公知のブレーカー構造に比べ体積がコンパクトであるため、小型化のニーズを達成し、しかもコストを低下させることもできることを特徴とする温度ヒューズの連結構造である。
【課題を解決するための手段】
【０００９】
請求項１の発明は、２個端子、熱溶融金属を含み、
該２個端子は回路の配線中に固定し、該２個端子の２個自由端にはそれぞれ貫通可能な開孔を設置し、しかも外力を受けていない状態では、該２個端子の２個自由端間は一定の一定の間隔距離を保持し、
該熱溶融金属は細長く、熱を受け温度が上昇すると溶融し断裂する特性を備え、
組合せ実施時には、該熱溶融金属は該２個端子の自由端の開孔を通り、リベット接合の方式で該熱溶融金属を圧迫し、これにより該熱溶融金属は該２個の分離端子の自由端に固定され電気的に連接し、該２個端子の自由端間は非接触となり、該２個端子の自由端間には一定の間隔距離を有することを特徴とする温度ヒューズの連結としている。
請求項２の発明は、請求項１記載の温度ヒューズの連結構造において、前記２個端子の開孔は封鎖性の開孔であることを特徴とする温度ヒューズの連結構造としている。
請求項３の発明は、請求項１記載の温度ヒューズの連結構造において、前記２個端子の開孔は開放性の開孔であることを特徴とする温度ヒューズの連結構造としている。
請求項４の発明は、請求項１記載の温度ヒューズの連結構造において、前記２個端子の少なくとも１個は弾性を備えた導電材料により製造し、これにより弾性を備えた端子とすることを特徴とする温度ヒューズの連結構造としている。
請求項５の発明は、請求項１記載の温度ヒューズの連結構造において、前記熱溶融金属は必要に応じて組成成分を改変し、異なる熱溶融断裂温度に設定可能であることを特徴とする温度ヒューズの連結構造としている。
請求項６の発明は、請求項１記載の温度ヒューズの連結構造において、前記熱溶融金属の中央には少なくとも１個の環状凹頸部を設置することを特徴とする温度ヒューズの連結構造としている。
請求項７の発明は、請求項１記載の温度ヒューズの連結構造において、前記熱溶融金属の一端は拡大ナット状であることを特徴とする温度ヒューズの連結構造としている。
【００１０】
請求項８の発明は、２個端子、熱溶融金属を含み、
該２個端子は回路の配線中に固定し、該２個端子の２個自由端にはそれぞれ貫通可能な開孔を設置し、しかも外力を受けていない状態では、該２個端子の２個自由端の間は一定の間隔距離を保持し、
該熱溶融金属は細長く、熱を受け温度が上昇すると溶融し断裂する特性を備え、
組合せ実施時には、該熱溶融金属は該２個端子の自由端の開孔を通り、リベット接合の方式で該熱溶融金属を圧迫し、これにより該熱溶融金属は該２個の分離端子の自由端を電気的に連接し、該２個端子の自由端は内側に向かい、相互に接触し、該２個端子の自由端は外側へと離れる弾力を備えることを特徴とする温度ヒューズの連結構造としている。
請求項９の発明は、請求項８記載の温度ヒューズの連結構造において、前記２個端子の開孔は封鎖性の開孔であることを特徴とする温度ヒューズの連結構造としている。
請求項１０の発明は、請求項８記載の温度ヒューズの連結構造において、前記２個端子の開孔は開放性の開孔であることを特徴とする温度ヒューズの連結構造としている。
請求項１１の発明は、請求項８記載の温度ヒューズの連結構造において、前記２個端子の少なくとも１個は弾性を備えた導電材料により製造し、これにより弾性を備えた端子とすることを特徴とする温度ヒューズの連結構造としている。
請求項１２の発明は、請求項８記載の温度ヒューズの連結構造において、前記２個端子の少なくとも１個には弾性部品を設置し、該弾性部品の弾力を利用し、該２個端子の自由端は相互に分離する弾力を保持することを特徴とする温度ヒューズの連結構造としている。
請求項１３の発明は、請求項８記載の温度ヒューズの連結構造において、前記熱溶融金属は必要に応じて組成成分を改変し、異なる熱溶融断裂温度に設定可能であることを特徴とする温度ヒューズの連結構造としている。
請求項１４の発明は、請求項８記載の温度ヒューズの連結構造において、前記熱溶融金属の一端は拡大ナット状であることを特徴とする温度ヒューズの連結構造としている。
【００１１】
請求項１５の発明は、２個端子、熱溶融金属、弾性連接部品を含み、
該２個端子は回路の配線中に固定し、該２個端子の少なくとも１個の端子の自由端には貫通可能な開孔を設置し、しかも外力を受けていない状態では、該２個端子の２個自由端の間は一定の間隔距離を保持し、
該熱溶融金属は細長く、熱を受け温度が上昇すると溶融し断裂する特性を備え、
該弾性連接部品は該２個端子を連接し、これにより該２個端子は通電し、該弾性連接部品は２個の連接棒部品を含み、少なくとも１個の連接棒部品の端部は貫通可能な開孔を形成し、
組合せ実施時には、該適当な長さの熱溶融金属は該一つ目の弾性連接部品の連接棒部品端部の開孔、該一つ目の端子の自由端の開孔を通り、リベット接合の方式で該熱溶融金属を圧迫し、これにより該熱溶融金属の両端は拡大し、該弾性連接部品の一つ目の連接棒部品と該一つ目の端子の自由端は相互に接合し、別に該弾性連接部品の二つ目の連接棒部品は該一つ目の弾性連接部品に向かい圧迫、接触、固定し、該２個端子は電気的に連接し、該弾性連接部品の２個の連接棒部品端部は相互に接触し外側に向かう弾力を生じることを特徴とする温度ヒューズの連結構造としている。
請求項１６の発明は、請求項１５記載の温度ヒューズの連結構造において、前記端子の二つ目の自由端には湾曲可能な固定部品を設置し、
該弾性連接部品の二つ目の連接棒部品は棒状で、
該弾性連接部品の二つ目の連接棒部品は該一つ目の連接棒部品に向かい圧迫、接触し、該二つ目の端子の固定部品は該二つ目の連接棒部品端部により覆われ固定されることを特徴とする温度ヒューズの連結構造としている。
請求項１７の発明は、請求項１５記載の温度ヒューズの連結構造において、前記２個端子の一つ目の開孔は封鎖性開孔であることを特徴とする温度ヒューズの連結構造としている。
請求項１８の発明は、請求項１５記載の温度ヒューズの連結構造において、前記２個端子の一つ目の開孔は開放性の開孔であることを特徴とする温度ヒューズの連結構造としている。
請求項１９の発明は、請求項１５記載の温度ヒューズの連結構造において、前記熱溶融金属は必要に応じて組成成分を改変し、異なる熱溶融断裂温度に設定可能であることを特徴とする温度ヒューズの連結構造としている。
請求項２０の発明は、請求項１５記載の温度ヒューズの連結構造において、前記弾性連接部品は導電材料により製造することを特徴とする温度ヒューズの連結構造としている。
【発明の効果】
【００１２】
本発明の組合せ構造、作動関係は確かに実用の機能と効果を備え、前代未聞の新設計であり、機能性と進歩性を備える。
【発明を実施するための最良の形態】
【００１３】
本発明実施例の分解断面図である図３、本発明実施例の組合せ断面図である図４、電流のオーバーロード或いは回路の過熱時に熱溶融金属が熱を受け温度が上昇、溶融断裂して、２個端子の自由端が相互に非連接状態となり、回路がオフ(OFF)状態となる様子を示す本発明実施例の組合せ断面図である図５に示すように、本発明の温度ヒューズの連結構造は２個端子１１、１２、熱溶融金属１３を含む。
該２個端子１１、１２は回路の配線中に固定し、該２個端子１１、１２の２個自由端にはそれぞれ貫通可能な開孔１１１、１２１を設置する。該開孔１１１、１２１は封鎖性の開孔或いは開放性の開孔とすることができ、外力を受けていない状態では、該２個端子１１、１２の２個自由端との間に一定の間隔距離(△Ｓ１)を保持する。該２個端子１１、１２の少なくとも１個は弾性を備えた導電材料により製造し、弾性を備えた端子とする。
該熱溶融金属１３は細長く、熱を受け、温度が上昇すると溶融し断裂する特性を備える。該熱溶融金属１３は必要に応じて材料の組合せを変化させ、異なる熱溶融断裂温度を設定することができる。
該熱溶融金属１３の細長い形状の中央には少なくとも１個の環状凹頸部１３１を設置し、該環状凹頸部１３１の断面は他の部分の断面よりも小さい。
【００１４】
組合せ実施時には、適当な長さの熱溶融金属１３を該２個端子１１、１２自由端の開孔１１１、１２１に通し、リベット接合の方式で該熱溶融金属１３の両端に圧迫する。こうして該熱溶融金属１３の両端は拡大し、該２個端子１１、１２自由端に固定され、電気的接続を形成する。実施例中の２個端子１１、１２の自由端間は相互に接触しておらず、該２個の弾性端子１１、１２自由端間は一定の間隔距離(△Ｓ２)を有する。但し図４に示すように、該一定の間隔距離(△Ｓ２)は前記の一定の間隔距離(△Ｓ１)より小さいか同じである(本発明実施例の立体組合せ図である図７参照)。
本発明の実施において、電流がオーバーロード、回路が過熱、或いは使用の環境温度が高過ぎる時には、該熱溶融金属１３は熱を受け温度が上昇し、設定温度に達すると、電流が流れる断面が最小の環状凹頸部１３１は温度が最高となり、該環状凹頸部１３１が先に溶融し断裂する。こうして該２個端子１１、１２の自由端は相互に非連接となり、回路はオフ(OFF)状態となる(図５参照)。
本発明実施例の熱溶融金属１４の別種形状の立体表示図である図６に示すように、該熱溶融金属１４の一端は拡大しナット状を呈し、該熱溶融金属１４の中央には少なくとも１個の環状凹頸部１４１を設置する。該熱溶融金属１４の組合せ実施とそれが達成する機能及び効果は前記図３に示す熱溶融金属１３と同様である。
【００１５】
さらに本発明第二実施例の分解断面図である図８、本発明第二実施例の組合せ断面図である図９、電流のオーバーロード或いは回路の過熱時に熱溶融金属が熱を受け温度が上昇、溶融断裂して、２個端子の自由端が相互に非連接状態となり、回路がオフ(OFF)状態となる様子を示す本発明第二実施例の組合せ断面図である図１０に示すように、本発明の温度ヒューズの連結構造は主に２個端子１１、１２、熱溶融金属１５を含む。
該２個端子１１、１２は回路の配線中に固定し、該２個端子１１、１２の２個自由端にはそれぞれ貫通可能な開孔１１１、１２１を設置する。該開孔１１１、１２１は封鎖性の開孔或いは開放性の開孔とすることができ、外力を受けていない状態では、該２個端子１１、１２の２個自由端との間に一定の間隔距離(△Ｓ３)を保持する。該２個端子１１、１２の少なくとも１個は弾性を備えた導電材料により製造し、弾性を備えた端子とする。或いは該２個端子１１、１２の少なくとも１個には弾性部品(図示なし)を設置し、該弾性部品の弾力を利用し該２個端子１１、１２の自由端は相互に分離する弾力を保持する。
該熱溶融金属１５は細長く、熱を受け、温度が上昇すると溶融し断裂する特性を備える。該熱溶融金属１５は必要に応じて材料の組合せを変化させ、異なる熱溶融断裂温度を設定することができる。
【００１６】
組合せ実施時には、適当な長さの熱溶融金属１５を該２個端子１１、１２自由端の開孔１１１、１２１に通し、リベット接合の方式で該熱溶融金属１３の両端に圧迫する。こうして該熱溶融金属１５の両端は拡大し、該２個の分離した端子１１、１２の自由端を電気的に接続する。図９に示すように、実施例中の２個端子１１、１２の自由端間は内側に向かい相互に緊密に接触し、該２個の弾性端子１１、１２自由端間は相互に外側へと離れる弾力を備える(本発明実施例の立体組合せ図である図１２参照)。
本発明第二実施例の熱溶融金属１６の別種形状の立体表示図である図１１に示すように、該熱溶融金属１６の一端は拡大しナット状を呈し、該熱溶融金属１６の組合せ実施は前記図８に示す熱溶融金属１５と同様である。
本発明の実施において、電流がオーバーロード、回路が過熱、或いは使用の環境温度が高過ぎる時には、該熱溶融金属１５は熱を受け温度が上昇し設定温度に達すると、該２個端子１１、１２自由端は該熱溶融金属１５のリベット接合挟持による制限を失い、弾力により外側へと弾け、該２個端子１１、１２の自由端は相互に分離し非連接状態となる。こうして回路はオフ(OFF)状態となる(図１０参照)。
【００１７】
次に本発明第三実施例の立体分解図である図１３、本発明第三実施例の立体組合せ図である図１４、本発明第三実施例の立体組合せ断面図である図１５、電流のオーバーロード或いは回路の過熱時に熱溶融金属が熱を受け温度が上昇、溶融断裂して、２個端子の自由端が相互に非連接状態となり、回路がオフ(OFF)状態となる様子を示す本発明第三実施例の組合せ断面図である図１６に示すように、本発明の温度ヒューズの連結構造は主に２個端子１１、１２、熱溶融金属１７、弾性連接部品１８を含む。
該２個端子１１、１２は回路の配線中に固定し、該２個端子１１、１２の２個自由端にはそれぞれ貫通可能な開孔を設置する。本実施例では、該一つ目の端子１２の自由端には貫通可能な開孔１２１を設置し、該開孔１２１は封鎖性の開孔或いは開放性の開孔とすることができ、該二つ目の端子１１の自由端には湾曲可能な固定部品１１２を設置する。外力を受けていない状態では、該２個端子１１、１２の２個自由端との間に一定の間隔距離(△Ｓ４)を保持する。
該熱溶融金属１７は細長く、熱を受け、温度が上昇すると溶融し断裂する特性を備える。該熱溶融金属１７は必要に応じて材料の組合せを変化させ、異なる熱溶融断裂温度を設定することができる。該熱溶融金属１７の一端は拡大しナット状とすることができる。
該弾性連接部品１８は該２個端子１１、１２の連接に用い、これにより該２個端子１１、１２は電気的に連接する。該弾性部品１８は導電材料により製造し、２個の連接棒部品１８１、１８２を含む。内少なくとも１個の連接棒部品端部には貫通可能な開孔を形成する。本実施例においては、該一つ目の連接棒部品１８１の端部には該貫通可能な開孔１８１０を設置し、該二つ目の連接棒部品１８２は棒状である。
【００１８】
組合せ実施時には、適当な長さの熱溶融金属１７を該弾性連接部品１８の一つ目の連接棒部品１８１端部の開孔１８１０、該一つ目の端子１２自由端の開孔１２１に通し、リベット接合の方式で該熱溶融金属１７の両端に圧迫する。こうして該熱溶融金属１７の両端は拡大し、該弾性連接部品１８の一つ目の連接棒部品１８１と該一つ目の端子１２の自由端を相互に接合する。別に該弾性連接部品１８の二つ目の連接棒部品１８２を該一つ目の連接棒部品１８１に向けて押し接触させ、これにより該二つ目の端子１１の自由端の固定部品１１２は該二つ目の連接棒部品１８２端部を包み固定し連結する。こうして該２個端子１１、１２は電気的に連接し、この時、該弾性連接部品１８の２個の連接棒部品１８１、１８２端部は相互に接触し外側に向かう弾力を生じる(図１６参照)。
本発明の実施において、図１５に示すように、電流がオーバーロード、回路が過熱、或いは使用の環境温度が高過ぎる時には、該熱溶融金属１７は熱を受け温度が上昇し設定温度に達すると、該弾性連接部品１８の一つ目の連接棒部品１８１は該熱溶融金属１７のリベット接合挟持による制限を失い、弾力により外側へと弾け、該２個端子１１、１２の自由端は相互に分離し、回路はオフ(OFF)状態となる(図１６参照)。
【図面の簡単な説明】
【００１９】
【図１】公知構造のオン状態を示す組合せ断面図である。
【図２】公知構造のオフ(OFF)状態を示す組合せ断面図である。
【図３】本発明実施例の分解断面図である。
【図４】本発明実施例の組合せ断面図である。
【図５】電流のオーバーロード或いは回路の過熱時に熱溶融金属が熱を受け温度が上昇、溶融断裂して、２個端子の自由端が相互に非連接状態となり、回路がオフ(OFF)状態となる様子を示す本発明実施例の組合せ断面図である。
【図６】本発明実施例の熱溶融金属の別種形状の立体表示図である。
【図７】本発明実施例の立体組合せ図である。
【図８】本発明第二実施例の分解断面図である。
【図９】本発明第二実施例の組合せ断面図である。
【図１０】電流のオーバーロード或いは回路の過熱時に熱溶融金属が熱を受け温度が上昇、溶融断裂して、２個端子の自由端が相互に非連接状態となり、回路がオフ(OFF)状態となる様子を示す本発明第二実施例の組合せ断面図である。
【図１１】本発明第二実施例の熱溶融金属の別種形状の立体表示図である。
【図１２】本発明第二実施例の立体組合せ図である。
【図１３】本発明第三実施例の立体分解図である。
【図１４】本発明第三実施例の立体組合せ図である。
【図１５】本発明第三実施例の立体組合せ断面図である。
【図１６】電流のオーバーロード或いは回路の過熱時に熱溶融金属が熱を受け温度が上昇、溶融断裂して、２個端子の自由端が相互に非連接状態となり、回路がオフ(OFF)状態となる様子を示す本発明第三実施例の組合せ断面図である。
【符号の説明】
【００２０】
１１  端子
１１１  穿孔
１１２  固定部品
１２  端子
１２１  穿孔
１３  熱溶融金属
１３１  環状凹頸部
１４  熱溶融金属
１４１  環状凹頸部
１５  熱溶融金属
１６  熱溶融金属
１７  熱溶融金属
１８  弾性連接部品
１８１  連接棒部品
１８１０  開孔
１８２  連接棒部品
△Ｓ１  一定の間隔距離
△Ｓ２  一定の間隔距離
△Ｓ３  一定の間隔距離
△Ｓ４  一定の間隔距離
２０１  接触弾力片
２０２  第一端子
２０３  第一導電点
２０４  第二端子
２０５  第二導電点
【図１】
2008123789.tif 000003
【図２】
2008123789.tif 000004
【図３】
2008123789.tif 000005
【図４】
2008123789.tif 000006
【図５】
2008123789.tif 000007
【図６】
2008123789.tif 000008
【図７】
2008123789.tif 000009
【図８】
2008123789.tif 000010
【図９】
2008123789.tif 000011
【図１０】
2008123789.tif 000012
【図１１】
2008123789.tif 000013
【図１２】
2008123789.tif 000014
【図１３】
2008123789.tif 000015
【図１４】
2008123789.tif 000016
【図１５】
2008123789.tif 000017
【図１６】
2008123789.tif 000018